(57)【要約】  【課題】  一般家庭でも簡単にマイクロバブル水を製造できるマイクロバブル発生装置を提供しようとする。  【解決手段】  液体を通過させる流路と、吸引される気体を導入する気体導入路とを備えるアスピレータと、該アスピレータの液体排出口から下流に設けられ該アスピレータから排出された液体を導通させる管状体を含んでなり、該管状体の内周壁に該管状体の長手方向を軸とする螺旋状に凸条が形成されたマイクロバブル発生装置であり、前記凸条の条方向と直角の外断面形状が、中央部で該管状体の中心軸に向けて突出し、一の端部から該中央部に向けて勾配が漸増する曲線の一対が組合わされた山形形状である前記マイクロバブル発生装置である。  【選択図】  図１
2005305219.tif 000002
【特許請求の範囲】
【請求項１】
液体を通過させる流路と、吸引される気体を導入する気体導入路とを備えるアスピレータと、
該アスピレータの液体排出口から下流に設けられ該アスピレータから排出された液体を導通させる管状体と
を含んでなり、該管状体の内周壁に該管状体の長手方向を軸とする螺旋状に凸条が形成された気液混合気泡発生装置。
【請求項２】
前記凸条の条方向と直角の外断面形状が、該凸条の中央部で該管状体の中心軸に向けて突出し該凸条の根元から該中央部に向けて勾配が漸増する曲線の一対を組合わした、山形形状である、請求項１に記載の気液混合気泡発生装置。
【請求項３】
前記管状体が弾性樹脂を素材として成り、該管状体の軸を中心軸として捻られることが可能とされ、該管状体の捻られた状態を維持する捻り維持手段を備え、該捻られた状態の捻り角度が可変とされた請求項１又は２に記載の気液混合気泡発生装置。
【請求項４】
液体の通過する経路に磁場が形成された請求項１乃至３のいずれかに記載の気液混合気泡発生装置。
【請求項５】
前記アスピレータと水道蛇口との間に介在する接続ホースと、
前記気体導入路に一端を接続され、前記接続ホースの中空部に延出され、更に外部に突出した気体管ホースと
を備える請求項１乃至４のいずれかに記載の気液混合気泡発生装置。
【請求項６】
第一の液体を通過させる流路と、吸引される第二の液体を導入する流体導入路とを備えるアスピレータと、
該アスピレータの液体排出口から下流に設けられ該アスピレータから排出された液体を導通させる管状体と
を含んでなり、
該管状体の内周壁に該管状体の長手方向を軸とする螺旋状に凸条が形成され、
前記流体導入路に第二の液体が吸引されて前記流路を通過した前記第一の液体と該第二の液体とが混合される液体混合装置。
【請求項７】
重合により樹脂が形成される樹脂前駆体を準備する工程、
複数の断面円形の可撓性長尺部材を準備する工程、
複数の該可撓性長尺部材を撚合わせて撚体を得る工程、
長尺の部材を成形する型枠を準備する工程、
該型枠の中空部に前記撚体を固定する工程、
前記樹脂前駆体を該型枠に注入する工程、
注入された該樹脂前駆体を重合させて長尺の重合体を得る工程、
該重合体から前記撚体を分離する工程
を含む、請求項１乃至６いずれかに記載の前記管状体を製造する、管状体製造方法。
【請求項８】
前記樹脂が弾性樹脂である請求項７に記載の管状体製造方法。
【発明の詳細な説明】
【技術分野】
【０００１】
本発明は、一般家庭でも簡単にマイクロバブル含有水等の気泡含有水を製造できる気液混合気泡発生装置に関する。
【背景技術】
【０００２】
近年、生活用水やその水源の水質の汚染への取り組みが社会的にも問題になっている。そこで、水中内の溶存酸素を増加させる作用や、汚濁物に吸着したり、汚濁物を凝集させる効果の在るマイクロバブルが注目されている。マイクロバブルは、水中での拡散性にもすぐれ、これらの点が広範囲の水質の浄化や水棲動物の育成にも効果を発揮すると考えられている。
【０００３】
マイクロバブルの発生方法としては各種のものが開示されている。例えば、加圧下で気体を水に溶解させ大気圧に開放することによりマイクロバブルを生成する方式（例えば、特許文献１参照。）、旋回流によるせん断作用により生成する方式（例えば、特許文献２参照。）、気泡を衝突板に高速で衝突させる方式（例えば、特許文献３参照。）、ポンプインペラのキャビテーションにより生成する方式（例えば、特許文献４参照。）、エジェクタを使用しエジェクタ内の負圧部分で生成する方式（例えば、特許文献５参照。）、水を特殊形状のオリフィスを通過させる方式（例えば、特許文献６参照。）等が挙げられる。
【０００４】
しかし、これらの方式は装置が大掛りであったり、騒音を伴ったりして一般家庭で簡単にマイクロバブル含有水を製造するための装置が望まれている。
【特許文献１】特開平５−４２１９０号公報（特許請求の範囲）
【特許文献２】特開２００３−２２５５４６号公報（特許請求の範囲）
【特許文献３】特開平１０−２４４１２１号公報（特許請求の範囲）
【特許文献４】特開２００１−１７９０６４号公報（特許請求の範囲）
【特許文献５】特開平５−１５８９３号公報（特許請求の範囲）
【特許文献６】特開平５−３８３５４号公報（特許請求の範囲）
【発明の開示】
【発明が解決しようとする課題】
【０００５】
本発明の目的は、一般家庭でも簡単にマイクロバブル含有水を製造できる気液混合気泡発生装置を提供することにある。本明細書においては、マイクロバブルは径が１〜数十μｍオーダーの気泡をいう。
【課題を解決するための手段】
【０００６】
本発明の要旨とするところは、液体を通過させる流路と、吸引される気体を導入する気体導入路とを備えるアスピレータと、該アスピレータの液体排出口から下流に設けられ該アスピレータから排出された液体を導通させる管状体を含んでなり、該管状体の内周壁に該管状体の長手方向を軸とする螺旋状に凸条が形成された気液混合気泡発生装置であることにある。
【０００７】
前記気液混合気泡発生装置においては、前記凸条の条方向と直角の外断面形状が、該凸条の中央部で該管状体の中心軸に向けて突出し該凸条の根元から該中央部に向けて勾配が漸増する曲線、の一対が組合わされた山形形状、であり得る。
【０００８】
前記管状体の中空部の形状は、複数の断面円形の可撓性長尺部材を撚合わせてなる撚体が占拠する空間の形状であり得る。
【０００９】
前記管状体は弾性部材から成り得る。
【００１０】
前記管状体は、該管状体の軸を中心軸として捻られることが可能とされ、該管状体の捻られた状態を維持する捻り維持手段を備え、該捻られた状態の捻り角度が可変とされ得る。
【００１１】
前記気液混合気泡発生装置においては、液体の通過する経路に磁場が形成され得る。
【００１２】
前記気液混合気泡発生装置は、該磁場を形成する磁石を備え得る。
【００１３】
前記気液混合気泡発生装置は、水道蛇口の管先に連結されるための連結手段を備え得る。
【００１４】
前記連結手段は、前記水道蛇口の管先と前記流路とを接続する接続ホースを備え得る。
【００１５】
前記気液混合気泡発生装置においては、前記気体導入路に一端を接続され、前記接続ホースの中空部に延出され、更に外部に突出した気体管ホースを備え得る。
【００１６】
前記気液混合気泡発生装置においては、前記気体導入路に一端を接続され、前記接続ホースの中空部に延出され、更に該接続ホースの周壁を貫通して該接続ホースの外部に突出した気体管ホースを備え得る。
【００１７】
又、本発明の要旨とするところは、
重合により樹脂が形成される樹脂前駆体を準備する工程、
複数の断面円形の可撓性長尺部材を準備する工程、
複数の該可撓性長尺部材を撚合わせて撚体を得る工程、
長尺の部材を成形する型枠を準備する工程、
該型枠の中空部に前記撚体を固定する工程、
前記樹脂前駆体を該型枠に注入する工程、
注入された該樹脂前駆体を重合させて長尺の重合体を得る工程、
該重合体から前記撚体を分離する工程
を含む、前記管状体を製造する、管状体製造方法であることにある。
【００１８】
前記樹脂は、弾性樹脂であり得る。
【００１９】
更に、本発明の要旨とするところは、
第一の液体を通過させる流路と、吸引される第二の液体を導入する流体導入路とを備えるアスピレータと、
該アスピレータの液体排出口から下流に設けられ該アスピレータから排出された液体を導通させる管状体と
を含んでなり、
該管状体の内周壁に該管状体の長手方向を軸とする螺旋状に凸条が形成され、
前記流体導入路に第二の液体が吸引されて前記流路を通過した前記第一の液体と該第二の液体とが混合される液体混合装置であることにある。
【００２０】
更に、本発明の要旨とするところは、
水道水を通過させる流路と、吸引される気体を導入可能な気体導入路とを備えるアスピレータと、
該アスピレータの液体排出口から下流に設けられ該アスピレータから排出された液体を導通させる管状体と
を含んでなり、該管状体の内周壁に該管状体の長手方向を軸とする螺旋状に凸条が形成され、
前記気体導入路に液体が吸引されて該液体と水道水とが混合される浴室用液体混合装置であることにある。
【発明の効果】
【００２１】
本発明によると、一般家庭でも簡単にマイクロバブル含有水を製造できる気液混合気泡発生装置が提供される。
【００２２】
本発明によると、一般家庭でも水道の蛇口に簡単に接続してマイクロバブル含有水を製造できる気液混合気泡発生装置が提供される。
【００２３】
本発明によると、マイクロバブルの気泡のサイズを簡単に調整できる気液混合気泡発生装置が提供される。
【００２４】
本発明によると、本発明の気液混合気泡発生装置に用いる、内周面に螺旋状の凸条を有して流体を通過させる管状体を容易に製造することが出来る。
【００２５】
本発明によると、コンプレッサ等の動力装置を使用せずにマイクロバブル含有水を製造出来る。
【００２６】
本発明によると、一般家庭でも水道の蛇口に簡単に接続して水道水と液体とを簡便に混合できる液体混合装置が提供される。
【発明を実施するための最良の形態】
【００２７】
本発明の気液混合気泡発生装置の実施形態について、図面を使用して説明する。なお、本明細書においては、各図にわたって記される同じ符号は同一又は同様の部材やものを示す。図１に示すように、本発明の気液混合気泡発生装置２は、水道等の液体の排出口である蛇口１００に連結されて、蛇口１００から排出される水中にマイクロバブルを発生させる装置である。気液混合気泡発生装置２は、本体部４と、本体部４を蛇口１００に連結するための連結手段６とを備えて構成される。
【００２８】
連結手段６は、本体部４と蛇口１００との間に介在して両者を互いに導通させる接続ホース８と、接続ホース８の一端部を蛇口１００の管先１０２に結合するための蛇口コネクタ１０と、接続ホース８の他端部を本体部４に結合するための本体部コネクタ１２とで構成される。本体部コネクタ１２は、本体部４の一端に設けられる。
【００２９】
蛇口コネクタ１０は、蛇口１００の管先１０２の外周に嵌合するリング状乃至筒状に形成して管先１０２に対し嵌挿して止着ネジ１０４で止着することにより固定装着する蛇口装着部１３４と、接続ホース８が嵌挿される内筒１２０と嵌挿した接続ホース８の外周を締め付ける径が拡縮自在の外筒１２１とそれを締め付けるよう外周に螺合する締付リング１２２とよりなるホース接続部１３０とが、一体的に連結して、蛇口装着部１３４を管先１０２に固定装着した後、ホース接続部１３０に接続ホース８を嵌挿して締付リング１２２の締付けにより接続ホース８の接続を行う構成となっている。本体部コネクタ１２も、蛇口コネクタ１０に準じた構成となっている。
【００３０】
なお、蛇口コネクタ１０と本体部コネクタ１２の構成は、このような構成に限定されず、ホースと管先を接続する公知の各種の方式を取り得る。
【００３１】
本体部４は、アスピレータ１４と、アスピレータ１４の液体排出口１７から下流に設けられアスピレータ１４から排出された液体（水）を導通させる管状体１６を含んで構成される。アスピレータ１４と管状体１６とは、管状体１６を保持する筒状のホルダー１８を介して一体に組み立てられている。
【００３２】
アスピレータ１４は、筒状のアスピレータピース７０と、アスピレータピース７０と一体的に結合し、アスピレータピース７０との間に間隙７４を設けたアスピレータキャップピース７２から構成される。間隙７４には、
【００３３】
アスピレータ１４は、液体（以下水で代表させて記載される）が水道の水圧のような背圧で加速されて通過する流路２０と、外部の気体（以下空気で代表させて記載される）がその液体の流れにより生ずる負圧で吸引されて導入される気体導入路２２とを備える。流路２０の出口２４の近傍に、流路２０から放出された水と、気体導入路２２の出口２６から排出された空気とが流入して混合する混合室２８が形成されている。出口２６は間隙７４に導通している。混合室２８から排出した水と空気の混合物が、管状体１６の中空部３０に流入する。
【００３４】
気体導入路２２は気体導入路入口３６で小径の空気管ホース３８の一端４０と接続している。空気管ホース３８は接続ホース８の中空部を通って、接続ホース８の管壁を貫通して接続ホース８の外部に突出し、他端４２は開放されている。空気管ホース３８は、他端４２と接続ホース８の管壁との中間部に開閉調整弁４４を備え、開閉調整弁４４を調整して、気体導入路２２へ吸引される空気の流量が調整される。
【００３５】
図２に示すように、管状体１６の中空部３０の形状は、銅線のような断面円形の可撓性長尺部材３５を３本撚合わせてなる撚体３４（図３）が占拠する空間の形状である。これにより、管状体１６の内周壁には、管状体１６の長手方向を軸とする螺旋状の凸条３２が形成される。図４は、管状体１６の拡大断面図である。
【００３６】
管状体１６の中空部３０に流入した水と空気の混合物は、凸条３２に導かれて螺旋状に旋回しつつ攪拌され、これにより、その水中の空気の気泡が微細化しマイクロバブルが発生する。
【００３７】
このマイクロバブルを含んだ状態の水は、管状体１６の出口３６から外部に放出される。
【００３８】
管状体は、図５に示すように、内壁面３３に細長板状の凸条３２ａを備えた管状体１６ａであってもよいが、図４に示す凸条３２のように、凸条の、凸条の条方向と直角の外断面形状が、中央部４１で管状体１６中心軸４３に向けて突出し、凸条の根元４５から中央部４１に向けて勾配が漸増する曲線４７の一対が組合わされた山形形状であることが好ましい。凸条３２がこのように管状体１６の内壁面から滑らかに弧状の勾配で立ち上がる側面３９を有すると、中空部３０を通過する水が円滑に旋回し、均一なサイズの気泡が得られて好ましい。
【００３９】
このように、凸条３２は管状体１６の内壁面に螺旋状に連続的な条として形成されるが、凸条３２が管状体１６の内壁面沿って断続的に螺旋状に配列して形成されてもよい。
【００４０】
なお、凸条が管状体１６の内壁面に螺旋状に連続的な条として形成される場合は、中空部３０の形状を、管状体１６の内壁面に螺旋状に連続的な凹条（溝）が形成された形状と表現することも出来る。この場合のような複数の凸条が併進する構成は、複数の凹条が併進する構成ともみなされ、凹と凸とはひとつの形状を見方をかえて表現したものとみなされる。
【００４１】
更に、本発明の気液混合気泡発生装置２は、図１に示すように、磁石５０を備える。磁石５０は、Ｎ極とＳ極が、中空部３０を間にする位置にそれぞれ配されるように、ホルダー１８の外周面に対向して設置される。
【００４２】
この構成により、水の通過する経路に磁場が形成され、その磁場を水が通過することにより、水分子が活性化されて、かつ水分子のクラスターが微小化する。この活性化とクラスターの微小化が、水中のマイクロバブルの作用と相乗的にはたらいて、マイクロバブルの、水中内の溶存酸素を増加させる作用や、汚濁物に吸着したり、汚濁物を凝集させる効果を更に高める。
【００４３】
磁場を通過する水が管状体１６中で螺旋状に旋回すると、水分子の活性化と水分子のクラスターの微小化が更に促進されて好ましい。更に水が螺旋状に旋回することにより満遍なく磁場に曝されて効率のよい磁気処理がなされる。
【００４４】
磁石５０は、図６に示すように、アスピレータ１４の流路２０をＮ極とＳ極が挟むように配置されてもよい。
【００４５】
本発明の気液混合気泡発生装置においては、磁場は通常の永久磁石により作られてもよい。直流又は交流の電磁石により作られてもよい。電磁誘導により空間に発生した磁場であってもよい。
【００４６】
本発明においては、管状体１６はポリエステル系樹脂やフェノール系樹脂のような熱硬化性樹脂部材から形成されてもよい。この場合は、管状体１６の外周を型取った筒状の型の中心部に撚体３４（図３）を配置して、熱硬化性樹脂の前駆体をその型に流し込み、前駆体を重合させ、樹脂成形体を得て、その樹脂成形体を型から取り出したのち、その樹脂成形体を二つに半割して撚体３４を取り出し除去し、再びその樹脂成形体をもとの形に合体することにより作ることが出来る。
【００４７】
管状体１６はシリコンゴムのようなゴム弾性を有する弾性樹脂部材から形成されることが好ましい。図２に示す形状の管状体１６は、管状体１６の外周を型取った筒状の型の中心部に撚体３４（図３）を配置して、弾性樹脂の前駆体をその型に流し込み、前駆体を重合させ、樹脂成形体を得て、その樹脂成形体を型から取り出したのち、その樹脂成形体から撚体３４を引き抜いて除去することにより作ることが出来る。
【００４８】
弾性樹脂としては、シリコンゴムの他に、ポリブタジエン系、ポリエステル系、ポリエーテル系、ポリアクリル系、天然ゴム系等のエラストマーが挙げられる。
【００４９】
管状体１６が弾性樹脂部材から成る場合は、気液混合気泡発生装置２にセットされた管状体１６を、図７に示すように、管状体１６の長手方向の軸を軸心として矢印Ａの方向に捻ることにより凸条３２の螺旋角を変えることが出来る。この場合、例えば、管状体１６の一端部外周に可動用リング５２を嵌めて固定し、管状体１６の他端部外周に固定リング５４を嵌めて固定し、可動用リング５２の外周面から突出するレバー５３を矢印Ｂの方向に回動させることにより管状体１６を捻ることが出来る。
【００５０】
図８に、このような態様の捻り手段５４を備えた本体部４ａを示す。図８においては、固定リング５４及び可動用リング５２を備えた管状体１６が固定リング５４及び可動用リング５２とともにホルダー１８の中空部に挿入される。固定リング５４は、ホルダー１８に設けられたネジ穴６３に螺入した止めネジ６２により固定されている。可動用リング５２の外周面から突出するレバー５３はオスネジ体５６から成る。ホルダー１８に、レバー５３を貫通させる長穴５８が形成されている。長穴５８は、ホルダー１８の周方向に延長されている。管状体１６を図７に示すように捻るときには、レバー５３を長穴５８を貫通した状態で長穴５８の長手方向即ちホルダー１８の周方向に移動させる。レバー５３を所定の位置に停止させて、レバー５３に螺合したナット５９を締結してレバー５３が所定の位置に固定される。これにより、管状体１６が所定の角度に捻られた状態で固定される。
【００５１】
このように、本発明の気液混合気泡発生装置は、管状体１６が所定の角度に捻られた状態で固定される捻り維持手段５９を備えることが出来る。
【００５２】
本体部４ａにおいては、水の旋回状態を変えることにより、発生するマイクロバブルの気泡のサイズが変わるので、管状体１６の中空部を通過する水の旋回状態や水の流速を調節して例えば１〜１０００μｍの範囲で目的に応じた最適のサイズの気泡を得ることが出来る。
【００５３】
又、本発明の気液混合気泡発生装置２においては、撚体３４の撚角度や、合撚の本数、可撓性長尺部材３５の径を変えて、異なる形状の中空部を有する管状体１６を各種用意しておき、目的に応じて最適の管状体１６を装着してもよい。
【００５４】
更に、接続ホース８は長さを用途や使用スペース等に応じて変えることが出来る。
【００５５】
又、本発明の気液混合気泡発生装置を用いて、２種の液体を簡便に混合することが出来る。浴室の蛇口に接続して浴室用の液体混合装置３として用いる場合の態様の一例を図９に示す。図９において、本発明の気液混合気泡発生装置２がシャワー栓付きの蛇口８０に接続される。蛇口８０はシャワーノズル８５に接続されたシャワー用ホース８２に送水するシャワー用管先８４と気液混合気泡発生装置２に送水する気液混合気泡発生装置用管先８６とを選択的に分岐する切り替え弁８８を備える。図９において、気液混合気泡発生装置２から排出されたマイクロバブル含有水９０は、直接体に降り注ぐようにかけてもよい。あるいは、浴槽に流下させてもよい。さらには、気液混合気泡発生装置２、あるいは少なくとも排出口９１を浴液中に位置させて、浴液中にマイクロバブル含有水９０を排出させてもよい。
【００５６】
更に、空気管ホース３８の吸入口（他端４２）の先端が、容器９３に入った液体９２の液中に挿入されてもよい。この場合は、空気管ホース３８には液体９２が吸引されて気液混合気泡発生装置２からは、水道水（湯）と、液体９２との混合液が排出される。液体９２に、アロマテラピー効果を有する香料が含有されていると、その混合液を体に注ぐことにより、入浴中に心身をさらにリラックスできる。又、磁石５０による磁気の作用がある場合は、更にリラックス効果が高まる。
【００５７】
又、液体９２に、次亜塩素酸ソーダが含有されていると、その混合液を浴槽に流下させて浴液の滅菌を行なうことが出来る。
【００５８】
更に又、空気管ホース３８の吸入口（他端４２）の先端を気体ボンベ９４に接続すると、空気管ホース３８には気体ボンベ９４中の気体が導入されて気液混合気泡発生装置２からはその気体のマイクロバブルを含有した水道水（湯）が排出される。気体が酸素であれば、酸素のマイクロバブルを含有した水道水（湯）が排出される。この酸素マイクロバブル含有水は、体に注いで身体の活性化を計ることが出来る。あるいは、気液混合気泡発生装置２、あるいは少なくとも排出口９２を浴液中に位置させて、浴液中に酸素マイクロバブル含有水を排出させることが出来る。又、気体が二酸化炭素であれば、二酸化炭素酸素のマイクロバブルを含有した水道水（湯）が排出される。気液混合気泡発生装置２、あるいは少なくとも排出口９２を浴液中に位置させて、浴液中に二酸化炭素マイクロバブル含有水を排出させることが出来る。
【００５９】
このようにして、酸素あるいは二酸化炭素のマイクロバブルを含有する浴液が得られ、入浴中に心身をさらにリラックスあるいは活性化できる。
【００６０】
又、本発明の気液混合気泡発生装置２は、気体をマイクロバブル状に微細化して液体に混入させるばかりでなく、マイクロバブルよりも大きなサイズの気泡を液体に混入させる目的に用いることも出来る
【００６１】
その他、本発明は、主旨を逸脱しない範囲で当業者の知識に基づき種々なる改良、修正、変更を加えた態様で実施できるものである。
【００６２】
例えば、気体導入路２２は空気管ホース３８を経由せずにアスピレータピース７０の外周面に形成された開口と直接導通し、その開口から空気が気体導入路２２に吸引導入されてもよい。あるいは、空気管ホース３８が、接続ホース８の中空部をさかのぼって、蛇口コネクタ１０の中空部に達し、蛇口装着部１３４の管壁を貫通して外部に突出していてもよい。
【産業上の利用可能性】
【００６３】
本発明の気液混合気泡発生装置は、水質浄化、浄化槽の曝気、水棲生物の飼育、健康飲料、浴用バブル、水の殺菌、洗浄水、水道水の塩素除去に適用出来る。あるいは、浴槽用の蛇口に装着して入浴時に浴槽にマイクロバブル含有水を流下し、風呂水の活性化、浄化を行なうことが出来る。
【図面の簡単な説明】
【００６４】
【図１】本発明の気液混合気泡発生装置の構成を示す断面図である。
【図２】本発明の気液混合気泡発生装置に使用される管状体の態様の一例を示す斜視図である。
【図３】本発明の気液混合気泡発生装置に使用される管状体の製造に用いる撚体の態様の一例を示す斜視図である。
【図４】本発明の気液混合気泡発生装置に使用される管状体の断面図である。
【図５】本発明の気液混合気泡発生装置に使用される他の態様の管状体の一例を示す斜視模式図である。
【図６】本発明の気液混合気泡発生装置に使用される磁石の配置の一例を示す断面図である。
【図７】本発明の気液混合気泡発生装置に使用される管状体を捻る態様の一例を説明する説明図である。
【図８】本発明の気液混合気泡発生装置の他の態様の構成の一例を示す断面図である。
【図９】本発明の気液混合気泡発生装置による２種の液体の混合の態様、及び液体と、空気以外の気体との混合の態様の一例を示す模式図である。
【符号の説明】
【００６５】
２：気液混合気泡発生装置
４、４ａ：本体部
６：連結手段
８：接続ホース
１０：蛇口コネクタ
１２：本体部コネクタ
１４：アスピレータ
１６：管状体
１８：ホルダー
２０：流路
２２：気体導入路
２８：混合室
３０：中空部
３２：凸条
３４：撚体
３５：可撓性長尺部材
３８：空気管ホース
５０：磁石
５９：捻り維持手段
１００：蛇口
１０２：管先
【図１】
2005305219.tif 000003
【図２】
2005305219.tif 000004
【図３】
2005305219.tif 000005
【図４】
2005305219.tif 000006
【図５】
2005305219.tif 000007
【図６】
2005305219.tif 000008
【図７】
2005305219.tif 000009
【図８】
2005305219.tif 000010
【図９】
2005305219.tif 000011